(57)【要約】【課題】映像記録再生装置において、録画された番組の種別や録画日時等を容易に把握できるようにして、再生したい番組を容易に検索可能とする。【解決手段】選択された基準日が属する年月のカレンダ情報５１と、録画したテレビジョン番組の種別を示す種別表示枠５２と、録画したテレビジョン番組のサムネール画像を表示するサムネール表示枠５３とを有する番組選択用の画面５０をディスプレイに表示する。カレンダ情報５１の各年月日の枠内、種別表示枠５２の枠内、及びサムネール画像５６の近傍には、録画されたテレビジョン番組の種別を示すアイコン６０が表示される。カレンダ情報５１の各年月日、種別表示枠５２に表示されているテレビジョン番組の種別６１、サムネール表示枠５３に表示されているサムネール画像５６は、アイコン６０によって対応づけられているので、カーソル５９が存在する基準日に録画された番組の種別や録画日時等を容易に把握できる。【選択図】図３
2009124408.tif 000002
【特許請求の範囲】
【請求項１】
テレビジョン番組の情報を含むテレビジョン放送信号を受信するチューナと、前記チューナにより受信されたテレビジョン放送信号を記録媒体に記録することによりテレビジョン番組を録画する番組録画手段と、年月日及び時間を計数するための時間計数手段と、カレンダ情報を記憶するカレンダ記憶手段と、装置各部を制御する制御手段と、ユーザが前記制御部に対して動作指令を入力するための指令入力手段とを備え、前記番組録画手段に記録されているテレビジョン放送信号を再生して映像を表示するための映像表示手段に表示させる映像記録再生装置において、
前記制御手段は、
前記指令入力手段を介して入力された指令に応じて、前記カレンダ記憶手段に記憶されているカレンダ情報を前記映像表示手段に表示させ、
前記テレビジョン番組の情報に基づいて前記番組録画手段に記録されているテレビジョン番組の種別を示す表示を、前記映像表示手段に表示されたカレンダ情報の対応する年月日の枠内に表示させることを特徴とする映像記録再生装置。
【請求項２】
前記制御手段は、
前記指令入力手段を介して入力された指令に応じて、特定の年月日に録画されたテレビジョン番組の文字情報を、前記テレビジョン番組の種別を示す表示に対応づけて、前記カレンダ情報と共に前記映像表示手段に表示させることを特徴とする請求項１に記載の映像記録再生装置。
【請求項３】
前記制御手段は、
前記番組録画手段に記録されているテレビジョン番組のテレビジョン放送信号に基づいて該テレビジョン番組のサムネール画像を作成し、該サムネール画像を前記番組録画手段に記録させ、
前記指令入力手段を介して入力された指令に応じて、特定の年月日に録画されたテレビジョン番組のサムネール画像を、前記テレビジョン番組の種別を示す表示に対応づけて、前記カレンダ情報と共に前記映像表示手段に表示させることを特徴とする請求項１又は請求項２に記載の映像記録再生装置。
【発明の詳細な説明】
【技術分野】
【０００１】
本発明は、テレビジョン放送信号を記録／再生する映像記録再生装置に関する。
【背景技術】
【０００２】
従来から、チューナを介してテレビジョン放送信号を受信し、受信した信号に含まれるテレビジョン番組をハードディスクに録画可能なハードディスクレコーダが知られている。この種のハードディスクレコーダにあっては、ハードディスク内に大量のテレビジョン番組が録画されることとなるため、録画された番組の中からユーザが再生したい番組を検索するのが困難となる場合がある。そこで、再生したい番組の検索を容易なものとするため、種々の提案がなされている。例えば、特許文献１においては、ＥＰＧデータ等を参照してタイトル画像を生成し、録画される映像／音声データの前又は後ろに記録する映像記録装置が示されている。
【０００３】
なお、デジタルカメラ等の画像撮像装置においては、カレンダ内に撮像された画像を撮像年月日に応じて表示する技術が示されている（例えば、特許文献２乃至５参照）。
【０００４】
しかしながら、特許文献１に示された技術にあっては、ユーザがタイトル画像を視ただけで番組の種別や録画された日時等を把握することが困難であるため、使い勝手が悪い。また、特許文献２乃至５に示された技術を映像記録再生装置に適用した場合にあっては、カレンダ内に表示された画像のサイズが小さくなるため、録画されている番組の内容を確認することが困難となる場合がある。特に、同日に複数の番組を録画した場合にあっては、このような問題が顕著に現れる。また、画像を表示するのみでは、録画した番組の種別等が不明であるので、番組内容を正確に把握することが困難である。
【特許文献１】特開２００６−１５７６９７号公報
【特許文献２】特開２００６−２７０９８２号公報
【特許文献３】特開２００６−２５４４８１号公報
【特許文献４】特開２００６−２３８４７４号公報
【特許文献５】特開２００５−１３０２７５号公報
【発明の開示】
【発明が解決しようとする課題】
【０００５】
本発明は、上述した問題点を解決するためになされたものであり、録画された番組の種別や録画日時等を容易に把握できるようにして、再生したい番組を容易に検索可能とし、使い勝手を高めた映像記録再生装置を提供することを目的とする。
【課題を解決するための手段】
【０００６】
上記目的を達成するために請求項１の発明は、テレビジョン番組の情報を含むテレビジョン放送信号を受信するチューナと、前記チューナにより受信されたテレビジョン放送信号を記録媒体に記録することによりテレビジョン番組を録画する番組録画手段と、年月日及び時間を計数するための時間計数手段と、カレンダ情報を記憶するカレンダ記憶手段と、装置各部を制御する制御手段と、ユーザが前記制御部に対して動作指令を入力するための指令入力手段とを備え、前記番組録画手段に記録されているテレビジョン放送信号を再生して映像を表示するための映像表示手段に表示させる映像記録再生装置において、前記制御手段は、前記指令入力手段を介して入力された指令に応じて、前記カレンダ記憶手段に記憶されているカレンダ情報を前記映像表示手段に表示させ、前記テレビジョン番組の情報に基づいて前記番組録画手段に記録されているテレビジョン番組の種別を示す表示を、前記映像表示手段に表示されたカレンダ情報の対応する年月日の枠内に表示させるものである。
【０００７】
請求項２に記載の発明は、請求項１の映像記録装置において、前記制御手段は、前記指令入力手段を介して入力された指令に応じて、特定の年月日に録画されたテレビジョン番組の文字情報を、前記テレビジョン番組の種別を示す表示に対応づけて、前記カレンダ情報と共に前記映像表示手段に表示させるものである。
【０００８】
請求項３に記載の発明は、請求項１又は請求項２の映像記録装置において、前記制御手段は、前記番組録画手段に記録されているテレビジョン番組のテレビジョン放送信号に基づいて該テレビジョン番組のサムネール画像を作成し、該サムネール画像を前記番組録画手段に記録させ、前記指令入力手段を介して入力された指令に応じて、特定の年月日に録画されたテレビジョン番組のサムネール画像を、前記テレビジョン番組の種別を示す表示に対応づけて、前記カレンダ情報と共に前記映像表示手段に表示させるものである。
【発明の効果】
【０００９】
請求項１に記載の発明によれば、番組録画手段に記録されているテレビジョン番組の種別を示す表示が映像表示手段に表示されたカレンダ情報内の対応する年月日の枠内に示されるので、ユーザは、カレンダ情報を映像表示手段に表示させることにより、どの種別に該当する番組がいつ録画されたのかを容易に確認することができる。これにより、再生したい番組の検索が容易となり、映像記録再生装置の使い勝手が向上する。また、カレンダ情報の各年月日の枠内には、それぞれの日に録画された番組の種別を示す表示のみを示せばよいので、同日に複数の番組を録画した場合であっても、番組の種別を示す表示を各年月日の枠内に見やすい態様で表示することができる。
【００１０】
請求項２に記載の発明によれば、特定の年月日に録画されたテレビジョン番組の文字情報がカレンダ情報と共に表示されるので、ユーザは、この表示された文字情報を確認することにより、その日に録画された番組に関する情報を取得することができる。これにより、映像記録再生装置の使い勝手が向上する。また、この文字情報は、カレンダ情報内のテレビジョン番組の種別を示す表示に対応づけて表示されるため、録画された番組の把握が容易なものとなる。また、カレンダ情報の各年月日の枠内に上記文字情報を表示する必要がないので、同日に複数の番組を録画した場合であっても、カレンダ情報の各年月日の枠内に表示すべき全ての情報をもれなく表示することができる。
【００１１】
請求項３に記載の発明によれば、特定の年月日に録画されたテレビジョン番組のサムネール画像がカレンダ情報と共に表示されるので、ユーザは、この表示されたサムネール画像を確認することにより、その日に録画された番組の内容を容易に把握することができる。また、このサムネール画像は、カレンダ情報内のテレビジョン番組の種別を示す表示に対応づけて表示されるため、録画された番組の内容の把握がより一層容易なものとなる。また、カレンダ情報の各年月日の枠内にサムネール画像を表示する必要がないので、同日に複数の番組を録画した場合であっても、カレンダ情報の各年月日の枠内に表示すべき全ての情報をもれなく表示することができる。
【発明を実施するための最良の形態】
【００１２】
以下、本発明の第１の実施形態に係るハードディスクレコーダ（映像記録再生装置）について、図１及び図２を参照して説明する。図１は、テレビジョン番組の録画を行うことができるハードディスクレコーダ３と、伝送ケーブル４を介してハードディスクレコーダ３に接続されたテレビジョン受像機２とから構成されるテレビジョン番組録画再生システム１の外観を示し、図２は、ハードディスクレコーダ３の内部構成を示すブロック図である。
【００１３】
テレビジョン受像機２は、テレビジョン番組等の映像を表示するためのディスプレイ（映像表示手段）２１と、音声を出力するためのスピーカ２２と、各種操作を行うための操作部２３と、伝送ケーブル４からＴＶ番組等の情報を受信するためのケーブルインタフェース（図示せず）とを備えている。ハードディスクレコーダ３から出力されたテレビジョン番組の映像はディスプレイ２１にて、音声はスピーカ２２にて出力される。
【００１４】
ハードディスクレコーダ３は、テレビジョン番組の情報を含むテレビジョン放送信号を受信するチューナ３８と、チューナ３８により受信されたテレビジョン番組が録画されるハードディスク（番組録画手段、カレンダ記憶手段）３７と、ハードディスク３７に録画されたテレビジョン番組を読取るための読取り部３５と、チューナ３８により受信されたテレビジョン番組をハードディスク３７に書込むための書込み部３６とを備える。チューナ３８により受信されたテレビジョン放送信号がハードディスク３７に記録されることにより、テレビジョン番組が録画される。また、ハードディスク３７には、カレンダ情報が格納されている。
【００１５】
また、ハードディスクレコーダ３は、テレビジョン番組の録画、又は再生等の操作をするためにユーザにより操作される操作部（指令入力手段）３１と、装置各部を制御する制御用マイコン（制御手段）３０と、制御用マイコン３０を動作させるプログラムが記憶されたメモリ部３４と、伝送ケーブル４にテレビジョン番組に関する映像信号、及び音声信号を出力する出力部３２と、年月日及び時間を計数するためのタイマ部（時間計数手段）３３とをさらに備える。
【００１６】
ユーザは、操作部３１を操作することにより、制御用マイコン３０に各種指令を入力することができる。例えば、再生したいテレビジョン番組の検索／選択に有益な録画したテレビジョン番組の情報を、ハードディスク３７に格納されているカレンダ情報と共に、テレビジョン受像機２のディスプレイ２１に表示させることができる。テレビジョン番組の情報は、テレビジョン放送信号に含まれるＥＰＧ（Electronic Program Guide）信号を解読することにより、取得することができる。
【００１７】
図３及び図４は、カレンダ情報と共にディスプレイ２１に表示されたテレビジョン番組の情報を示している。図３は、録画したテレビジョン番組のサムネール画像５６を表示している画面５０、図４は、録画したテレビジョン番組に関する文字情報７１をリスト表示している画面７０をそれぞれ示している。
【００１８】
図３に示す画面５０は、ユーザによって選択された基準日が属する年月のカレンダ情報５１と、録画したテレビジョン番組の種別を示す種別表示枠５２と、録画したテレビジョン番組のサムネール画像を表示するサムネール表示枠５３と、カレンダ情報５１の表示月を進退させるためのカレンダスクロールボタン５４、５５と、サムネール表示枠５３に表示されたサムネール画像５６を進退させるためのサムネールスクロールボタン５７、５８等を有している。ユーザによって選択された基準日は、カーソル５９で表される。カレンダ情報５１の各年月日の枠内、種別表示枠５２の枠内、及びサムネール画像５６の近傍には、録画されたテレビジョン番組の種別を示すアイコン６０が表示されている。アイコン６０は、テレビジョン番組の種別６１ごとに異なる色によって表示されている。従って、カレンダ情報５１の各年月日、種別表示枠５２の枠内に表示されているテレビジョン番組の種別６１、及びサムネール表示枠５３の枠内に表示されているサムネール画像５６は、アイコン６０の色によってそれぞれ対応づけられている。なお、サムネール画像５６は、ハードディスク３７に記録されているテレビジョン放送信号に基づいて、制御用マイコン３０によって作成される。例えば、制御用マイコン３０は、ハードディスク３７に記録されているテレビジョン放送信号の映像信号の最初の１コマ、又はユーザによって選択された任意の１コマの画像からサムネール画像５６を作成する。このように作成されたサムネール画像５６は、ハードディスク３７に記録される。
【００１９】
図４に示す画面７０は、カレンダ情報５１と、録画したテレビジョン番組の文字情報７１をリスト表示する文字リスト表示枠７２と、カレンダ情報５１の表示月を進退させるためのカレンダスクロールボタン５４、５５と、文字リスト表示枠７２に表示された文字情報７１を進退させるための文字情報スクロールボタン７３、７４等を有している。画面５０と同様に、ユーザによって選択された基準日は、カーソル５９で表され、カレンダ情報５１の各年月日の枠内には、録画されたテレビジョン番組の種別を示すアイコン６０が表示されている。
【００２０】
上述のごとく構成されたハードディスクレコーダ３の動作について、図５を参照して説明する。ハードディスクレコーダ３の制御用マイコン３０は、ユーザからの要求を待っている状態で（＃１）、再生リスト（録画した番組の一覧）を表示する旨の要求を受信すると（＃２）、基準日を本日にして（＃３）、基準日の属する年月のカレンダ情報５１を表示する（＃４）。その後、ユーザによってサムネール表示が選択されると（＃５においてＹＥＳ）、図３に示す画面５０において基準日に録画された番組をサムネール表示して（＃６）、ユーザからの更なる要求を待つ（＃８）。ユーザによって文字情報のリスト表示が選択されると（＃５においてＮＯ）、図４に示す画面７０において基準日に録画された番組の文字情報７１をリスト表示して（＃７）、ユーザからの更なる要求を待つ（＃８）。
【００２１】
ハードディスクレコーダ３の制御用マイコン３０は、ユーザからの要求を受信するとその要求の内容を判断する（＃９）。カレンダを進める旨の要求（カレンダスクロールボタン５５が操作された場合に相当）を受信すると、基準日を＋１ヶ月して、カレンダ情報５１を表示して（＃１０）、＃４に戻る。カレンダを戻す旨の要求（カレンダスクロールボタン５４が操作された場合に相当）を受信すると、基準日を−１ヶ月して、カレンダ情報５１を表示して（＃１１）、＃４に戻る。カーソル５９を移動する旨の要求を受信するとその要求に応じてカーソルを移動し（＃１２）、その移動先がカレンダ情報５１内である場合（＃１５においてＹＥＳ）、基準日をカレンダ情報内のカーソル位置の日に変更し（＃１６）、＃５に戻る。移動先がカレンダ情報５１内でない場合には（＃１５においてＮＯ）、＃８に戻る。サムネール画像５６をスクロールさせる旨又は文字情報７１のリストをスクロールさせる旨の要求（図３に示す画面５０においてサムネールスクロールボタン５７、５８が、図４に示す画面７０において文字情報スクロールボタン７３、７４が操作された場合に相当）を受信すると、サムネール画像５６又は文字情報７１のリストをスクロールさせて（＃１３）、＃８に戻る。選択されたタイトルの番組を再生する旨の要求を受信すると、当該選択されたタイトルの番組を再生し（＃１４）、＃１に戻る。なお、＃２において受信した要求が再生リストを表示する旨の要求以外のその他の要求である場合には、その要求された動作を行い（＃１７）、＃１に戻る。
【００２２】
上述したように、本実施形態に係るハードディスクレコーダ３によれば、ハードディスク３７に記録されているテレビジョン番組の種別を示すアイコン６０がディスプレイ２１に表示されたカレンダ情報５１の各年月日の枠内に示されるので、ユーザは、カレンダ情報５１をディスプレイ２１に表示させることにより、どの種別に該当する番組がいつ録画されたのかを確認することができる。これにより、再生したい番組の検索が容易となり、ハードディスクレコーダ３の使い勝手が向上する。また、カレンダ情報５１の各年月日の枠内には、それぞれの日に録画された番組の種別を示すアイコン６０のみを示せばよいので、同日に複数の番組を録画した場合であっても、番組の種別を示すアイコン６０を各年月日の枠内に見やすい態様（大きさ）で表示することができる。
【００２３】
また、図３に示す画面５０において、特定の年月日に録画されたテレビジョン番組のサムネール画像５６がカレンダ情報５１と共に表示されるので、ユーザは、この表示されたサムネール画像５６を確認することにより、その日に録画された番組の内容を容易に把握することができる。また、図４に示す画面７０においては、特定の年月日に録画されたテレビジョン番組の文字情報７１がカレンダ情報５１と共に表示されるので、ユーザは、この表示された文字情報７１を確認することにより、その日に録画された番組に関する情報を取得することができる。また、これにより、ハードディスクレコーダ３の使い勝手が向上する。また、このサムネール画像５６及び文字情報７１は、カレンダ情報５１内のテレビジョン番組の種別を示すアイコン６０に対応づけて表示されるため、録画された番組の把握が容易なものとなる。さらにまた、カレンダ情報の各年月日の枠内にサムネール画像５６及び文字情報７１を表示する必要がないので、同日に複数の番組を録画した場合であっても、カレンダ情報の各年月日の枠内に表示すべき全ての情報（例えばアイコン６０）をもれなく表示することができる。
【００２４】
なお、本発明は、上記実施形態の構成に限られず、発明の趣旨を変更しない範囲で種々の変形が可能である。例えば、ハードディスクレコーダ３がテレビジョン受像機２に内蔵された構成であってもよい。また、カレンダ情報５１、種別表示枠５２、サムネール表示枠５３、文字リスト表示枠７２及びアイコン６０は、図３又は図４に示した形態に限られることなく、それぞれの機能を実現可能な任意の形態であってもよい。
【図面の簡単な説明】
【００２５】
【図１】本発明の第１の実施形態に係るハードディスクレコーダと、このハードディスクレコーダに接続されたテレビジョン受像機の外観を示す傾斜図。
【図２】上記ハードディスクレコーダの内部構成を示すブロック図。
【図３】録画した番組を検索する際に、上記テレビジョン受像機に表示される画面の一例を示す図。
【図４】録画した番組を検索する際に、上記テレビジョン受像機に表示される画面の別の例を示す図。
【図５】上記ハードディスクレコーダの動作を示すフローチャート。
【符号の説明】
【００２６】
３  ハードディスクレコーダ（映像記録再生装置）
３０  制御用マイコン（制御手段）
３１  操作部（指令入力手段）
３３  タイマ部（時間計数手段）
３７  ハードディスク（番組録画手段、カレンダ記憶手段）
３８  チューナ
【図１】
2009124408.tif 000003
【図２】
2009124408.tif 000004
【図３】
2009124408.tif 000005
【図４】
2009124408.tif 000006
【図５】
2009124408.tif 000007